(57)【特許請求の範囲】
【請求項１】
制御部と、
複数の文字情報が割り当てられた一又二以上のキーと、
表示部からなる電子機器において、
前記表示部は文字情報を表示する２以上の文字入力位置と、文字入力位置を特定するカーソルを表示し、
前記カーソルにより特定された文字入力位置において任意の文字情報を表示中に前記任意の文字情報を割り当てられたキーに対し予め定められた操作が行われると、
前記制御部は前記カーソルで特定された文字入力位置に表示された前記文字情報を確定し、かつ前記カーソルを次の文字入力位置に移動させ前記カーソルの移動した文字入力位置に前記任意の文字情報を割り当てられたキーに割り当てられた複数の文字情報の一を表示することを特徴とする電子機器。
【請求項２】
複数の情報が割り当てられたキーを用いて情報が入力される携帯電話機の情報入力方法において、
前記複数の情報が割り当てられたキーに対して予め定められた操作が行われるとカーソルにより特定された情報入力位置の文字情報を更新するステップと、
前記文字情報を更新するステップが行われなかった場合に前記複数の情報が割り当てられたキーに対して予め定められた別の操作を行われるとカーソルにより特定された情報入力位置の文字情報を確定するステップと、
前記文字情報を確定するステップ後次の情報入力位置にカーソルを移動させるステップと、
前記複数の情報が割り当てられたキーに割り当てられた情報の一を前記次の情報入力位置に表示するステップとを含むことを特徴とする電子機器の情報入力方法。
【請求項３】
前記予め定められた操作は、前記キーを押すことであり、
前期予め定められた別の操作は前記キーを長押下することを特徴とする請求項２記載の電子機器の情報入力方法。
【発明の詳細な説明】
【０００１】
【発明の属する技術分野】
本発明は、携帯電話機及び携帯電話機の情報入力方法に関し、特に、限られた数のキーを操作して各種情報入力処理を行う携帯電話機及び携帯電話機の情報入力方法に関する。
【０００２】
【従来の技術】
従来より携帯電話機では、電話帳機能の氏名や電子メールの本文等に使われるカナ文字や英文字の情報入力方法として、「０」〜「９」の数字キーを操作してカナ文字や英文字を入力処理することが一般的に行われている。
【０００３】
当該入力方法では、例えば数字キー「１」に文字「あいうえお（あ行）」「ＡＢＣ」を割り当て、数字キー「２」に文字「かきくけこ（か行）」「ＤＥＦ」を割り当てている。ここで、数字キー「１」が押される度に、表示部に表示される文字が「あ」「い」「う」「え」「お」「あ」「い」と循環的に変化していくことによって、カナ文字の入力を可能としている。同様に英文字についても、「Ａ」「Ｂ」「Ｃ」「Ａ」「Ｂ」と循環的に変化していくことによって、英文字の入力を可能としている。
【０００４】
例えば、文字列「あき」を入力するには、「１」キーを１回押すことにより文字「あ」を入力し、次いで「２」キーを２回押すことにより文字「き」を入力している。このようにして文字列「あき」が入力される。
同様に、文字列「あい」を入力するには、「１」キーを１回押すことにより文字「あ」を入力し、次いで「右カーソル」キーでカーソルを右へ１文字移動させ、次いで「１」キーを２回押すことにより文字「い」を入力している。このようにして文字列「あい」が入力される。
このように従来の携帯電話機では、文字入力時に、数字キーとカーソルキー等の複数種類のキーを組み合わせて文字入力していた。
【０００５】
【発明が解決しようとする課題】
しかしながら携帯電話機では一般的に、数字キーとカーソルキーのような異種のキーは互いに離れて配置されていることが多いため、操作者は数字キーとカーソルキーとの間を指を大きく動かして入力操作する必要があった。
その結果、指の移動距離が長くかつ移動回数が多くなるので、押し間違えが起き易くなったり、文字入力速度が大幅に低下するなど、操作性が大幅に悪化していた。
【０００６】
ここにおいて本発明の目的は、情報入力時において、あるキーに割り当てられた情報を連続的に入力する際に、異種のキーを押さなくても入力可能で、操作性を大幅に向上した携帯電話機及び携帯電話機の情報入力方法を提供することにある。
【０００７】
【課題を解決するための手段】
本発明は前記目的を達成するため、次のような特徴的構成手段及び手法を採用する。
即ち本発明の携帯電話機は、複数の情報が割り当てられられたキーを用いて情報が入力される携帯電話機において、同一のキーに割り当てられた情報を連続して入力操作する場合に、当該キーに対して特定操作を加えることによって、当該キー入力された情報を確定することを特徴とする。
【０００８】
又、複数の情報が割り当てられられたキーを用いて情報が入力される携帯電話機において、同一のキーに割り当てられた情報を連続して入力操作する場合に、当該キーに対して特定操作を加えることによって、次の情報入力位置にカーソルを移動させることを特徴とする。
【０００９】
又、複数の情報が割り当てられられたキーを用いて情報が入力される携帯電話機において、同一のキーに割り当てられた情報を連続して入力操作する場合に、当該キーに対して特定操作を加えることによって、当該キー入力された情報を確定すると共に、次の情報入力位置にカーソルを移動させることを特徴とする。
【００１０】
更に、前記情報は、文字であることを特徴とする。
【００１１】
更に、前記特定操作は、前記キーを一定時間以上押すことであることを特徴とする。
【００１２】
本発明の携帯電話機の情報入力方法は、複数の情報が割り当てられられたキーを用いて情報が入力される携帯電話機の情報入力方法の情報入力方法において、同一のキーに割り当てられた情報を連続して入力操作する場合に、当該キーに対して特定操作を加えることによって、当該キー入力された情報を確定することを特徴とする。
【００１３】
又、複数の情報が割り当てられられたキーを用いて情報が入力される携帯電話機の情報入力方法において、同一のキーに割り当てられた情報を連続して入力操作する場合に、当該キーに対して特定操作を加えることによって、次の情報入力位置にカーソルを移動させることを特徴とする。
【００１４】
又、複数の情報が割り当てられられたキーを用いて情報が入力される携帯電話機の情報入力方法において、同一のキーに割り当てられた情報を連続して入力操作する場合に、当該キーに対して特定操作を加えることによって、当該キー入力された情報を確定すると共に、次の情報入力位置にカーソルを移動させることを特徴とする。
【００１５】
更に、前記情報は、文字であることを特徴とする。
【００１６】
更に、前記特定操作は、前記キーを一定時間以上押すことであることを特徴とする。
【００１７】
本発明ではこのような手段及び手法を採用したことにより、同一のキーに割り当てられた情報を、異種のキーを操作することなく連続して入力操作できるようになる。
【００１８】
【発明の実施の形態】
以下、本発明の携帯電話機及び携帯電話機の情報入力方法の実施の形態の一例を図面を参照しつつ説明する。
図１は本発明の一実施の形態の携帯電話機のブロック構成図である。図１に示す本実施の形態の携帯電話機１は、各部を制御する制御部２と、アンテナ３と、無線通信部４と、着信音を発音するスピーカ５と、マイク６と、文字データ等からなる電話帳データ等の各種情報が格納されるデータメモリ７と、ダイヤル番号や文字等の入力操作が付与されるキー入力部８と、文字等の各種情報を表示する表示部９とを含んでなる。
【００１９】
図２は図１の実施の形態の携帯電話機の情報入力方法の動作説明図である。
図１のキー入力部８には、「１」キーに「あいうえお（あ行）」の文字、「２」キーに「かきくけこ（か行）」の文字、というように各数字キーにカナ５０音の各行の文字がそれぞれ割り当てられている。ここで、図２に示すように「あ行」の文字の入力及び編集は、「１」キーを押下して行われる。
【００２０】
ここで、同一のキーに割り当てられた文字を連続して入力したい場合（例えば、「あい」「あお」「かき」「かこ」「あおい」「かこく」等）、当該キーに特定の操作を加える（例えば、当該キーを一定時間以上押し続ける、当該キーを一定時間内に定められた回数だけ押す等）ことにより、制御部２は同一のキーに割り当てられた文字が連続して入力されたと判別し、制御部２は先に入力された文字を確定すると共に、表示部９のカーソルを次の文字入力位置（例えば、右隣のカーソル位置、下隣のカーソル位置等）に移動させる。
【００２１】
尚、ここでは先に入力された文字を確定すると共に、表示部９のカーソルを次の文字入力位置に移動させるようにしたが、これらはどちらか一方のみ行っても良い。
【００２２】
尚、前記実施の形態では、携帯電話機を例示して説明したが、これに限定されず、同様の入力方法を適用可能な各種の電子機器・通信機器・情報機器等に適用できることは勿論である。
更に前記キーとしては、キーボタンスイッチだけでなく、スライドスイッチ、レバースイッチ、ダイヤル状の入力装置、タッチパッド、ポインティングデバイス、多方向入力デバイス等の各種の入力デバイスが適用できることは勿論である。
更に前記キーに割り当てられる対象としては、前記の文字だけでなく、カナ文字、英文字、その他の言語の文字、数字、記号等の各種の情報が適用できることは勿論である。
【００２３】
【発明の効果】
以上説明したように本発明では、特定のキーに割り当てられた文字を連続して入力する際に、異種のキーを操作することなく前記特定のキーを操作するだけで連続して入力できるようになる。
これにより、使用者の操作性を大幅に向上させられる。
又、ボタン数が必要以上に増加しない利点がある。
又、カーソルキーに他の機能を割り当てられるようになる利点がある。
【図面の簡単な説明】
【図１】本発明の一実施の形態の携帯電話機のブロック構成図である。
【図２】本発明の一実施の形態の携帯電話機の情報入力方法の動作説明図である。
【符号の説明】
１  携帯電話機
２  制御部
３  アンテナ
４  無線通信部
５  スピーカ
６  マイク
７  データメモリ
８  キー入力部
９  表示部
【図１】
0003735562.tif 000002
【図２】
0003735562.tif 000003